(57)【要約】【課題】段ボール箱の蓋を、ガムテープで封をする場合、開き上がろうとする段ボール箱の両側２枚の蓋を、手で押さえながらガムテープを貼付ける、という面倒な不便さがあった。更に段ボール箱の蓋の貼合わせた部分は、山のように盛り上がって緩んでしまうという不具合があった。【解決手段】段ボール箱の蓋を、ガムテープで封をする場合、開き上がろうとする段ボール箱の両側２枚の蓋を、ガイドローラで平面に押さえ揃えながら、装着したガムテープを繰り出して貼付け、貼付けたガムテープの表面を、押さえローラにて圧接して確実に接着させ、接着後は付属のカッターにより、ガムテープを切断することが出来る機能を有し、効率よくきれいなガムテープの貼付け作業を可能とする、接着テープ貼付器を提供する。【選択図】図１
2008024368.tif 000002
【特許請求の範囲】
【請求項１】
段ボール箱の蓋を、ガムテープなどの接着テープ（以下「ガムテープ」という。）を用いて封をする場合、開き上がろうとする段ボール箱両側２枚の蓋を、ガイドローラで平面に押さえ揃える機能。
【請求項２】
ガムテープを本体に装着し、本体の移動に合わせて、自動的に繰り出し貼付ける機能。
【請求項３】
貼付けたガムテープの表面を、押さえローラで圧接して確実に接着させる機能。
【請求項４】
接着後は本体の前後移動により、ガムテープを切断することが出来るカッター機能。
【請求項５】
請求項１から４までの機能を有する、接着テープ貼付器の構造と機能。
【発明の詳細な説明】
【技術分野】
【０００１】本発明は、段ボール箱の蓋をガムテープなどの接着テープ（以下「ガムテープ」という。）を用いて封をする場合、開き上がろうとする段ボール箱両側２枚の蓋を、ガイドローラで平面に押さえ揃えながら、本体に装着したガムテープを、繰り出し貼付け、貼付けたガムテープの表面を、押さえローラにより圧接して確実に接着させ、接着後はカッターにより、ガムテープを切断することが出来る機能を有する、接着テープ貼付器の構造に関する。
【背景技術】
【０００２】流れ作業等による大量の梱包作業を除き、一般家庭などの梱包作業において、段ボール箱の蓋を、ガムテープで封をする場合（以下「ガムテープ貼付け作業」という。）、従来は、開き上がろうとする段ボール箱の両側２枚の蓋を、手で押さえながらガムテープを貼付ける、という面倒で不便な作業があり、それでも段ボール箱の蓋の貼合わせた部分は、山のように盛り上がって緩んでしまうという不具合があった。【０００３】従来のガムテープ貼付け作業では、貼付けたガムテープの接着を確実にするため、貼付けたガムテープを、圧接押さえ付けるという作業が必要であり、またガムテープの切断には、カッターナイフや鋏などを、別途に準備する必要があった。
【発明の開示】
【発明が解決しようとする課題】
【０００４】ガムテープ貼付け作業においては、段ボール箱の蓋を手で押さえながら、ガムテープを貼付けるという面倒な不便さと、蓋の貼合わせた部分が、山のように盛り上がって緩んでしまうという不具合があった。【０００５】ガムテープの接着を確実にするため、貼付けたガムテープの表面を、圧接押さえ付ける必要があり、またガムテープの切断には、カッターナイフや鋏などを、別途に準備する必要があった。
【課題を解決するための手段】
【０００６】本発明のテープ貼付器（以下「貼付器」という。）は、段ボール箱の蓋の貼合わせた部分が、山のように盛り上がって、緩んでしまうことを防ぐための“ガイドローラ”、貼付けたガムテープを圧接し、接着させるための“押さえローラ”、貼付け後のガムテープを、切断するための“カッター”、切断したテープの先端を、接着して止めておくための“テープ止め”、ガムテープを装着するための“テープ受けローラ”、テープ貼付器本体を、移動操作するための“握り棒”などの部品を有し、これらローラやカッターなどの部品を、組み立て成形するための各フレームで構成する。
ガイドローラの中央には“センターライン”を施し、段ボール箱の蓋の貼合わせ部分が、ガムテープの中央と合わせ易くする。またカッター刃の中央を山高にして、ガムテープの中央部から切断されるようにする。【０００７】貼付器の構造と機能を、図１により説明する。
ガムテープ１１の装着は、ガムテープの接着面が、ガイドローラ１の側になるように、ガムテープ１１をテープ受けローラ６を用いて、テープ受けフレーム７に装着し、ガムテープの先端をテープ止め５に貼り付けておく。【０００８】段ボール箱の蓋を閉じて２枚の蓋の合わせ面に、ガイドローラ１のセンターライン２を合わせて、段ボール箱の蓋が適当な平面になるように、握り棒１０を持って貼付器を、段ボール箱に押し付ける。
ガムテープの先端を、テープ止め５から剥がして、段ボール箱の蓋の合わせ面に貼り付ける。
段ボール箱の蓋が適当な平面を保持しつつ、また蓋の合わせ面とセンターライン２が、ずれないように注意しながら、握り棒１０を持って貼付器を、ガイドローラ１の方に押し進める。
ガイドローラ１により、段ボール箱の２枚の蓋を揃え合わせ、押さえローラ３により、ガムテープ１１が蓋に圧接接着され、貼付器の進行によって、ガムテープ１１が自然に繰り出されて、ガムテープ貼付け作業が確実に効率よく出来る。【０００９】ガムテープ貼付けの終端でテープを切断する場合、貼付器を、テープ貼付け終端の位置から少し後退させると、ガムテープ１１はテープ止め５に接着する。
この状態でカッター４をテープ止め５の方に倒し、貼付器を、ガイドローラ側に進めると、ガムテープ１１は、蓋の接着面とテープ止め５に接着しているため、カッター４によって切断され、ガムテープ１１の先端は、テープ止め５に接着して残る。【００１０】ガムテープ１１は、テープ受けローラ６を用いてテープ受けフレーム７に、ワンタッチで取付け取外しが出来る。【００１１】カッター４には、不用意に動かないようにストッパーと、安全カバーを付けることが望ましい。
【発明の効果】
【００１２】本発明の貼付器を用いることにより、段ボール箱の両側２枚の蓋を、手で押さえながらガムテープを、貼付けるという面倒な不便さがなくなり、また段ボール箱の蓋の貼合わせた部分が、山のように盛り上がって、緩んでしまうという不具合もなくなるため、段ボール箱の蓋の、ガムテープ貼付け作業が、きれいに効率よく出来るという効果がある。【００１３】ガムテープ貼付けの終端で、ガムテープを切断する時、別途にカッターナイフや鋏などを準備しなくても、本発明の貼付器に付属するカッターで、容易に切断出来るという効果がある。
【発明を実施するための最良の形態】
【００１４】本発明の貼付器は、流れ作業による大量の梱包作業に用いるよりは、一般家庭や事務所などにおいて、人手によって行う段ボール箱の梱包作業に、本発明の貼付器を使用する場合に、本発明の効果が最も発揮できる。
【実施例】
【００１５】本発明の貼付器を使用することにより、段ボール箱の蓋の封をする、ガムテープ貼付け作業が、きれいに効率よく確実に出来る。
【図面の簡単な説明】
【００２７】
【図１】テープ貼付器の構造と機能を表す姿図である。破線にて陰部の構造を示す。
【図２】テープ貼付器を押さえローラ側から見た立面図である。
【図３】テープ貼付器の側面図である。
【符号の説明】
【００２８】  １：ガイドローラ
２：センターライン
３：押さえローラ
４：カッター
５：テープ止め
６：テープ受けローラ
７：テープ受けフレーム
８：主フレーム
９：水平フレーム
１０：握り棒
１１：ガムテープ
【図１】
2008024368.tif 000003
【図２】
2008024368.tif 000004
【図３】
2008024368.tif 000005